(57)【要約】【課題】  装置部品のリサイクルのために、リサイクル情報として好適な部品のリサイクル情報をあらかじめ装置内部に記憶しておき、そのリサイクル情報が必要となる廃棄後に、容易に当該情報の読み取りを可能とする。【解決手段】  リサイクル情報の読み取り対象装置（プリンタ）の構成が、オプション（給紙ユニット）の着脱によって、変更される毎に、装置内部の不揮発性メモリーの内容を書き換えることで、リサイクル情報をより正確に記憶保持することができ、またリサイクル情報の読み取り装置に正確に伝送可能な構成とする。【選択図】  図１
2006158992.tif 000002
【特許請求の範囲】
【請求項１】
CPUを備えた電気基板を含む装置であって、前記CPUがRead/Write可能な記憶エリアに、当該装置内部品のリサイクル情報を記憶する記憶手段と、当該装置には属していない前記リサイクル情報の読み取り装置から該装置のリサイクル情報を読み取る読み取り手段により読み取り動作を可能ならしめる該装置側読み取り補助手段とその制御手段とを有することを特徴とするリサイクル情報の情報処理装置。
【請求項２】
請求項１に記載のリサイクル情報は、前記記憶エリアに少なくとも"部品判別情報"と"リサイクル情報"を関連づけて記憶し、当該装置内の部品をリサイクルするための参考情報として当該装置の外部に送信する伝達手段を備える請求項１記載の情報処理装置。
【請求項３】
請求項１に記載の記憶エリアに記憶されたリサイクル情報は、該装置の装置構成が変更された場合に、前記請求項１に記載のCPUが、その装置構成変更を検知する手段を有し、前記変更情報に係るリサイクル情報の記憶を更新する手段を有することを特徴とする請求項１〜２に記載の情報処理装置。
【請求項４】
請求項１に記載の装置の前記記憶部分及び前記伝達手段部分に対する電源供給を装置の一部を分解することにより可能ならしめる手段と前記可能になったことを検出したら、所定の時間経過かつ/又は所定のイベントを検出した後に電源供給することを特徴とする請求項１〜２に記載の情報処理装置。
【発明の詳細な説明】
【技術分野】
【０００１】
本発明は、装置部品のリサイクルにおいて、装置を解体し、再利用する際に部品のリサイクル情報として好適な、情報処理装置、情報処理方法、情報処理プログラム及び情報処理プログラムを記録したコンピュータで読み取り可能な記録媒体と、そのリサイクル情報の伝達方法に関するものである。
【背景技術】
【０００２】
従来、装置部品をリサイクルする場合は、解体工場に使用済み商品を集約して行うのが普通であった。従って、解体の方法や手順或いは解体の工具・機械類は、解体工場独自の仕様で十分であった。
【０００３】
又、別の従来例としては、特許文献１をあげることが出来る。
【特許文献１】特開２００４−７４０７１号公報
【発明の開示】
【発明が解決しようとする課題】
【０００４】
しかし、コンピュータ、テレビ、冷蔵庫等の廃棄/リサイクル有料化に伴い、装置部品リサイクルが、飛躍的に大量となり、自動化による処理の高速化が、課題となっている。
【課題を解決するための手段】
【０００５】
本発明は、上記問題に鑑みてなされたもので、請求項１に記載のリサイクル情報記憶方法およびその伝達方法を備える装置は、CPUを備えた電気基板を含む装置であって、前記CPUがRead/Write可能な記憶エリアに、当該装置内部品のリサイクル情報を記憶する記憶手段と、当該装置には属していない前記リサイクル情報の読み取り装置から該装置のリサイクル情報を読み取る読み取り手段により読み取り動作を可能ならしめる該装置側読み取り補助手段とその制御手段とを有することを特徴とする。
【０００６】
請求項２に記載のリサイクル情報記憶方法およびその伝達方法を備える装置は、リサイクル情報は、前記記憶エリアに少なくとも"部品判別情報"と"リサイクル情報"を関連づけて記憶し、当該装置内の部品をリサイクルするための参考情報として当該装置の外部に送信する伝達手段を備える。
【０００７】
請求項3に記載のリサイクル情報記憶方法およびその伝達方法を備える装置は、リサイクル情報は、該装置の装置構成が変更された場合に、CPUが、その装置構成変更を検知する手段を有し、前記変更情報に係るリサイクル情報の記憶を更新する手段を有することを特徴とする。
【０００８】
請求項4に記載のリサイクル情報記憶方法およびその伝達方法を備える装置は、前記記憶部分及び前記伝達手段部分に対する電源供給を装置の一部を分解することにより可能ならしめる手段と、前記可能になったことを検出したら、所定の時間経過かつ/又は所定のイベントを検出した後に電源供給することを特徴とする。
【発明の効果】
【０００９】
本実施例のように、リサイクル情報の読み取り対象装置（プリンタ）の構成が、オプション（給紙ユニット）の着脱によって、変更される毎に、装置内部の不揮発性メモリーの内容を書き換えることで、リサイクル情報をより正確に記憶保持することができ、またリサイクル情報の読み取り装置に正確に伝送することができる。
【００１０】
リサイクル情報の読み取り対象装置（プリンタ）が分解された時（ここでは、シールド板金が外されたとき）に限ってリサイクル情報の読み取りを可能とすることで、（つまりここでは、シールド板金が外されたときに、発電部の発電を可能にしている。）リサイクルが必要とされるときに限ってリサイクル情報の読み取りが可能となり、リサイクル情報の提供を制限できる効果がある。
【発明を実施するための最良の形態】
【００１１】
図1は、本実施例のプリンタ（本装置）が廃棄状態で、読み取り装置112により、リサイクル情報をプリンタから受信しているところを示すシステム図である。
【００１２】
図２は、プリンタ（本装置）の内部構成を示す図であり、201は、CPU、202は、A4給紙ユニットを含むプリントエンジン、203は、CPUの動作を記憶したリードオンリーメモリー（ROM）、204は、本プリンタの操作支援情報を表示する表示部、205は、本プリンタの設定状態を変更等するためのキーボード、206は、本プリンタの電源部、207は、本プリンタのCPUが画像処理等のために一時的に記憶するための揮発性メモリー（RAM）、208は、不揮発性メモリー217のリサイクル情報を、読み取り装置112に対し、送信する機能を持つリサイクル情報処理部、209は、電磁誘導による電力供給を電源として使えるように発電する発電部、210は、グランド線（GND線）、211は、電源オン・オフを制御する電源スイッチ、212は、電源部206からの電源を供給する電源供給ライン、213は、CPUがその他のユニットに対しRead/Writeするための制御線とバスを示す、214は、発電部209からの電源を供給するための外部電源供給ライン、215は、電磁誘導波、216は、読み取り装置112のリサイクル情報収集コネクタ3Bに接続されるリサイクル情報コネクタ、217は、不揮発性メモリー、218は、本プリンタが廃棄前の製品としての動作で、印字データを受信するインタフェース、219は、オプションA3給紙ユニットである。
【００１３】
図３は、本実施例の読み取り装置112の内部構成を示す。
【００１４】
30は、制御部、31は、制御部がRead/Writeするメモリー、32は、制御部によって表示を制御される表示部、33は、リサイクル情報を印刷する時などに当該装置に指示を出すためのキーがある操作部、34は、プリンタ（本装置111）からリサイクル情報の受信処理を行うリサイクル情報インタフェース、35は、受信したリサイクル情報等を印字する印刷処理部、36は、電源部37からの電源を内部各ユニットに供給する電源供給ライン、37は、電源部、38は、制御部がその他のユニットに対しRead/Writeするための制御線とバスを示す、39は、プリンタ（本装置111）からリサイクル情報の受信開始のためのスイッチ（読み取りスイッチ）、3Aは、磁束変化を発生する放射電力発生部、3Bは、リサイクル情報の受信時にプリンタ（本装置111）のリサイクル情報コネクタ216に接続されるリサイクル情報収集コネクタである。
【００１５】
図4は、プリンタ（本装置111）内の"発電部209、リサイクル情報コネクタ216、シールド板金110"の周辺構造を示す。
【００１６】
110は、プリンタ（本装置111）が廃棄前に製品として動作中に発電部209が電力を発生しないよう発電部をシールドするシールド板金、401は、シールド板金110をグランド（GND）電位に接続しているGND接地用ネジ、209は、電磁誘導により、電力を発生する発電部、402は、電気基板、216は、リサイクル情報コネクタである。
【００１７】
図5は、プリンタ（本装置111）が（廃棄前に）PC等からUSB I/F(218)で印字データを受信し、印字する プリンタとしての動作を示すフローチャートである。
【００１８】
図6は、プリンタ（本装置111）内のリサイクル情報処理部208の動作を示すフローチャートである。
【００１９】
図7は、読み取り装置(112)の動作を示すフローチャートである。
【００２０】
図5を元に、プリンタ（本装置111）が（廃棄前に）PC等からUSB I/F(218)で印字データを受信し、印字する プリンタとしての動作を、順次説明する。
【００２１】
不揮発性メモリー217には、あらかじめ基本のシステム構成（オプション給紙ユニットを除く）としてのリサイクル情報が記憶されている。
【００２２】
S501で電源部206の電源スイッチ211が、オンされると、プリンタ内各部に電力が供給される。
【００２３】
S502でプリンタCPU201は、プリンタ内の各部を初期設定する。
【００２４】
S503でプリンタCPUは、USB I/F(218)から印刷データを受信したか否かを判断する。
【００２５】
NOならS505に遷移し、YESならS504に遷移する。
【００２６】
S505で、プリンタCPUは、給紙ユニット構成に変更があったか否かを判断する。
【００２７】
給紙ユニット構成に変更があった場合、例えば、オプションA3給紙ユニットが取り付けられた、又は外された時は、YESと判断されS506に遷移する。給紙ユニット構成に変更が無い、つまりNOならS503に遷移する。S506では、プリンタCPUが不揮発性メモリー217に対し、リサイクル情報の更新を行う。
【００２８】
S504で、プリンタCPUは、受信した印刷データを元に印刷処理を行い、S503に戻る。
【００２９】
図6を元に、プリンタ（本装置111）内リサイクル情報処理部（208）の動作について順次説明していく。
【００３０】
プリンタ（本装置111）が廃棄され、解体される際、リサイクル業者は、リサイクル情報を得るためにシールド板金110を、GND接地用ネジ(401)を抜くことで、外す。そして、読み取り装置112のリサイクル情報収集コネクタ3Bをプリンタのリサイクル情報コネクタ216に接続する。その後読み取り装置112の放射電力発生部3Aをプリンタの発電部209に近づけ、読み取り装置112の読み取りスイッチ39を押す。すると、プリンタ（本装置111）内リサイクル情報処理部208に発電部209から外部電源供給ライン214を通じて電源が供給され、プリンタ（本装置111）内リサイクル情報処理部208は、動作を開始する。(S601)  S602でプリンタ（本装置111）内リサイクル情報処理部208は、初期設定を実行し、S603に遷移する。S603でプリンタ内リサイクル情報処理部（208）は、電源供給ライン212からの電源供給がオフか否かを判断する。電源供給ライン212からの電源供給がNO（オン）ならS603に戻り、YES（オフ）ならS604に遷移する。S604でプリンタ内リサイクル情報処理部（208）は、不揮発性メモリー217からリサイクル情報を読み取り、それをリサイクル情報コネクタ216を介して読み取り装置112に送信し、S603に戻る。
【００３１】
図７を元に、読み取り装置112の動作について順次説明していく。
【００３２】
電源部37の電源スイッチがオンされると内部の各ユニットに電源が供給され、読み取り装置112の制御部30による制御が開始される。(S701)  S702で読み取り装置112の制御部30は、内部の各ユニットに対し、初期設定を実行する。S703で読み取り装置112の制御部30は、読み取りスイッチ39が押されたか否かを判断する。NOならS703に戻り、YESならS704に遷移する。S704で読み取り装置112の制御部30は、放射電力発生部3Aをオンし、プリンタ（本装置111）の発電部209に電力を発生させ、S705に遷移します。S705で読み取り装置112の制御部30は、リサイクル情報収集コネクタ3Bとリサイクル情報I/F(34)を介してプリンタ（本装置111）からリサイクル情報を受信する処理を始め、S706に遷移します。S706で読み取り装置112の制御部30は、リサイクル情報を受信したか否かを判断します。NOならS705に遷移し、YESならS707に遷移します。S707で読み取り装置112の制御部30は、受信したリサイクル情報を表示部32に表示し、S708に遷移します。S708で読み取り装置112の制御部30は、操作部33から印刷指示が出されたか否かを判断します。NOならS708に戻り、YESならS709に遷移します。S709で読み取り装置112の制御部30は、表示していたリサイクル情報を印刷処理部35で印刷処理し、S702に戻ります。
【００３３】
図6と図７を元に、プリンタ（本装置111）内のリサイクル情報を読み取り装置112に伝送し、表示、印刷される過程を順次説明していく。
【００３４】
電源部37の電源スイッチがオンされ、読み取り装置112の制御部30による制御が開始される。(S701)  S702で読み取り装置112の制御部30は、内部の各ユニットに対し、初期設定を実行する。一方、プリンタ（本装置111）が廃棄され、解体される際、リサイクル業者は、リサイクル情報を得るためにシールド板金110を、GND接地用ネジ(401)を抜いて、外す。そして、読み取り装置112のリサイクル情報収集コネクタ3Bをプリンタのリサイクル情報コネクタ216に接続する。その後読み取り装置112の放射電力発生部3Aをプリンタの発電部209に近づけ、読み取り装置112の読み取りスイッチ39を押す。（S703）S704で読み取り装置112の制御部30は、放射電力発生部3Aをオンし、プリンタ（本装置111）の発電部209に電力を発生させる。すると、プリンタ（本装置111）内リサイクル情報処理部208に発電部209から外部電源供給ライン214を通じて電源が供給され、プリンタ（本装置111）内リサイクル情報処理部208は、動作を開始する。(S601)  S602でプリンタ（本装置111）内リサイクル情報処理部208は、初期設定を実行し、S603に遷移する。S603でプリンタ内リサイクル情報処理部（208）は、電源供給ライン212からの電源供給がオフか否かを判断する。電源供給ライン212からの電源供給がNO（オン）ならS603に戻り、YES（オフ）ならS604に遷移する。S705で読み取り装置112の制御部30は、リサイクル情報収集コネクタ3Bとリサイクル情報I/F(34)を介してプリンタ（本装置111）からリサイクル情報を受信する処理を始めます。S604でプリンタ内リサイクル情報処理部（208）は、不揮発性メモリー217からリサイクル情報を読み取り、それをリサイクル情報コネクタ216を介して読み取り装置112に送信する。
【００３５】
S706で読み取り装置112の制御部30は、リサイクル情報を受信したか否かを判断する。NOならS705に遷移し、YESならS707に遷移します。S707で読み取り装置112の制御部30は、受信したリサイクル情報を表示部32に表示し、S708に遷移します。S708で読み取り装置112の制御部30は、操作部33から印刷指示が出されたか否かを判断します。NOならS708に戻り、YESならS709に遷移します。S709で読み取り装置112の制御部30は、表示していたリサイクル情報を印刷処理部35で印刷処理し、S702に戻ります。
【図面の簡単な説明】
【００３６】
【図１】実施例において、読み取り装置112が、リサイクル情報をプリンタから受信しているところを示すシステム図である。
【図２】実施例におけるプリンタ（本装置）の内部構成を示す図である。
【図３】実施例における読み取り装置112の内部構成を示す。
【図４】実施例におけるプリンタ（本装置111）内の"発電部209、リサイクル情報コネクタ216、シールド板金110"の周辺構造を示す。
【図５】実施例において、プリンタ（本装置111）が（廃棄前に）PC等からUSB I/F(218)で印字データを受信し、印字する プリンタとしての動作を示すフローチャートである。
【図６】プリンタ（本装置111）内のリサイクル情報処理部208の動作を示すフローチャートである。
【図７】読み取り装置(112)の動作を示すフローチャートである。
【符号の説明】
【００３７】
111  プリンタ（本装置）
112  リサイクル情報の読み取り装置
113  読み取り装置の操作者（の手）
114  リサイクル情報収集ケーブル
110  リサイクル情報読み取りのために、はがされたシールド板金、
201  CPU
202  A4給紙ユニットを含むプリントエンジン
203  CPUの動作を記憶したリードオンリーメモリー（ROM）
204  本プリンタの操作支援情報を表示する表示部
205  本プリンタの設定状態を変更等するためのキーボード
206  本プリンタの電源部
207  本プリンタのCPUが画像処理等のために一時的に記憶するための揮発性メモリー（RAM）
208  不揮発性メモリー217のリサイクル情報を、読み取り装置112に対し、送信する機能を持つリサイクル情報処理部
209  電磁誘導による電力供給を電源として使えるように発電する発電部
210  グランド線（GND線）
211  電源オン・オフを制御する電源スイッチ
212  電源部206からの電源を供給する電源供給ライン
213  CPUがその他のユニットに対しRead/Writeするための制御線とバスを示す
214  発電部209からの電源を供給するための外部電源供給ライン
215  電磁誘導波
216  読み取り装置112のリサイクル情報収集コネクタ3Bに接続されるリサイクル情報コネクタ
217  不揮発性メモリー
218  本プリンタが廃棄前の製品としての動作で、印字データを受信するインタフェース
219  オプションA3給紙ユニット
30  制御部
31  制御部がRead/Writeするメモリー
32  制御部によって表示を制御される表示部
33  リサイクル情報を印刷する時などに当該装置に指示を出すためのキーがある操作部
34  プリンタ（本装置111）からリサイクル情報の受信処理を行うリサイクル情報インタフェース
35  受信したリサイクル情報等を印字する印刷処理部
36  電源部37からの電源を内部各ユニットに供給する電源供給ライン
37  電源部
38  制御部がその他のユニットに対しRead/Writeするための制御線とバスを示す
39  プリンタ（本装置111）からリサイクル情報の受信開始のためのスイッチ（読み取りスイッチ）
3A  磁束変化を発生する放射電力発生部
3B  リサイクル情報の受信時にプリンタ（本装置111）のリサイクル情報コネクタ216に接続されるリサイクル情報収集コネクタ
110  プリンタ（本装置111）が廃棄前に製品として動作中に発電部209が電力を発生しないよう発電部をシールドするシールド板金
401  シールド板金110をグランド（GND）電位に接続しているGND接地用ネジ
209  電磁誘導により、電力を発生する発電部
402  電気基板
216  リサイクル情報コネクタ
【図１】
2006158992.tif 000003
【図２】
2006158992.tif 000004
【図３】
2006158992.tif 000005
【図４】
2006158992.tif 000006
【図５】
2006158992.tif 000007
【図６】
2006158992.tif 000008
【図７】
2006158992.tif 000009